(57)【要約】【課題】従来のリアクトルに比べて、小型のリアクトルを提供する。【解決手段】リアクトル１は、巻線２ｗを巻回した一対のコイル素子２ａ、２ｂを接続してなるコイル２と、これらコイル素子２ａ、２ｂ内にそれぞれ配置される一対の内側コア部３１、及びこれら内側コア部３１を連結して閉磁路を形成する一対の外側コア部３２を有する磁性コア３との組合体１０を備える。外側コア部３２の上面３２ｕが、内側コア部３１の上面３１ｕよりも下側に位置する。【選択図】図２
2014067758.tif 000002
【特許請求の範囲】
【請求項１】
巻線を巻回した一対のコイル素子を接続してなるコイルと磁性コアとの組合体を備えるリアクトルであって、
前記磁性コアは、前記コイル素子内に配置される内側コア部と、前記内側コア部を連結して閉磁路を形成する外側コア部とを有し、
前記組合体を設置対象に設置した際、組合体及び組合体の各構成部材の設置対象側を設置側、その反対側を対向側とするとき、
前記外側コア部の対向側の面が、前記内側コア部の対向側の面よりも設置側に位置するリアクトル。
【請求項２】
前記内側コア部の対向側の面の位置と、前記外側コア部の対向側の面の位置との差が、前記内側コア部の高さの１５％以下である請求項１に記載のリアクトル。
【請求項３】
前記内側コア部の対向側の面の位置と、前記外側コア部の対向側の面の位置との差が、０．５ｍｍ以上である請求項２に記載のリアクトル。
【請求項４】
前記コイル素子はそれぞれ、
前記巻線が巻回されてなるターン形成部と、
前記ターン形成部の一端側から前記外側コア部の対向側の面と前記ターン形成部の対向側の面との間に前記巻線の端部を引き出して端子金具の接続箇所とする接続端部とを備える請求項１〜３のいずれか１項に記載のリアクトル。
【請求項５】
更に、前記接続端部に接続される端子金具を備え、
前記端子金具、前記接続端部、及び当該端子金具と接続端部とが接続されてなる端子接続部が、前記ターン形成部の対向側の面よりも設置側に位置している請求項４に記載のリアクトル。
【請求項６】
前記コイル素子のターン形成部は、平角線からなる前記巻線をエッジワイズ巻きして構成され、
前記コイル素子の接続端部は、前記コイルの軸方向に沿うと共に、前記平角線の幅方向が前記コイル素子の横並び方向と平行となるように前記平角線をフラットワイズ曲げして引き出される請求項４または５に記載のリアクトル。
【請求項７】
前記コイル素子は、
独立した２つの巻線をそれぞれ巻回して構成され、
前記ターン形成部の他端側から、前記外側コア部の対向側の面と前記ターン形成部の対向側の面との間に前記巻線の端部を引き出して当該コイル素子同士の連結箇所とする連結端部と、
前記一対のコイル素子とは独立した部材で構成され、前記連結端部同士を連結するコイル連結部材とを備え、
前記コイル連結部材及び連結端部は、前記ターン形成部の対向側の面よりも設置側に位置する請求項４〜６のいずれか１項に記載のリアクトル。
【請求項８】
更に、前記外側コア部を設置側に押さえることで前記組合体を設置対象に固定する固定部材を備え、
前記固定部材のうち、前記外側コア部の対向側の面を押さえる押付部が、前記ターン形成部の対向側の面よりも設置側に位置する請求項４〜７のいずれか１項に記載のリアクトル。
【請求項９】
更に、前記組合体の外周の少なくとも一部を覆う外側樹脂部を備える請求項１〜８のいずれか１項に記載のリアクトル。
【請求項１０】
更に、前記組合体を収納するコンバータケースを備える請求項１〜９のいずれか１項に記載のリアクトル。
【請求項１１】
請求項１〜１０のいずれか１項に記載のリアクトルを備えるコンバータ。
【請求項１２】
請求項１１に記載のコンバータを備える電力変換装置。
【発明の詳細な説明】
【技術分野】
【０００１】
本発明は、ハイブリッド自動車などの車両に搭載される車載用DC-DCコンバータといった電力変換装置の構成部品などに利用されるリアクトル、リアクトルを備えるコンバータ、コンバータを備える電力変換装置に関するものである。特に、高さの低いリアクトルに関する。
【背景技術】
【０００２】
電圧の昇圧動作や降圧動作を行う回路の部品の一つに、リアクトルがある。そのリアクトルとして、例えば、特許文献１に示すものがある。特許文献１のリアクトルは、一対のコイル素子を有するコイルと、このコイルが配置される磁性コアとを有する組合体を備える。この磁性コアは、各コイル素子内にそれぞれ配置される一対の内側コア部と、これら内側コア部を連結する一対の外側コア部とを有する。ここでは、外側コア部の上面の位置が内側コア部の上面の位置よりも高く、外側コア部の幅がコイルの幅と同等である（特許文献１の図３〜５）。そして、コイルの端子が接続される接続端部を、コイルのターン形成部からリアクトルの上方に引き出している。
【先行技術文献】
【特許文献】
【０００３】
【特許文献１】特開２０１１−１１９６６４号公報
【発明の概要】
【発明が解決しようとする課題】
【０００４】
リアクトルの周囲、特に設置側との反対側（通常は上方）には、他の機器や部品が配置されることが多く、それらの配置用のスペースを確保する必要がある。しかし、コイルの接続端部がリアクトルの上部側に引き出されるため、リアクトルの高さが高くなることで配置用スペースの確保が難しくなる場合がある。また、外側コア部の上面にはコイルの巻線の一部や端子、端子台などを設置する場合もあり、外側コア部が高いとそれらの配置用スペースも確保し難くなる場合がある。
【０００５】
本発明は、上記の事情に鑑みてなされたもので、その目的の一つは、従来のリアクトルに比べて、外側コア部の設置対象とは反対側にコイルの巻線の一部や端子、端子台等を設置するスペースを確保できるリアクトルを提供することにある。また、本発明の他の目的は、従来のリアクトルに比べて、リアクトルの少なくとも一部の高さを低くできるリアクトルを提供することにある。
【０００６】
本発明の他の目的は、上記リアクトルを備えるコンバータ、このコンバータを備える電力変換装置を提供することにある。
【課題を解決するための手段】
【０００７】
本発明のリアクトルは、巻線を巻回した一対のコイル素子を接続してなるコイルと磁性コアとの組合体を備える。磁性コアは、コイル素子内に配置される内側コア部と、内側コア部を連結して閉磁路を形成する外側コア部とを有する。この組合体を設置対象に設置した際、組合体及び組合体の各構成部材の設置対象側を設置側、その反対側を対向側とする。その際、外側コア部の上記対向側の面が、内側コア部の上記対向側の面よりも上記設置側に位置する。ここで、内側コア部がコイル素子内に配置されているとは、内側コア部の一部がコイル素子から露出されている場合も含む。
【０００８】
上記の構成によれば、外側コア部の上記対向側の面が、内側コア部の上記対向側の面よりも上記設置側に位置することで、外側コア部の上記対向側の面上にコイルの巻線の一部や端子、端子台等の設置スペースを確保し易くできる。そのため、リアクトルを小型化できる。
【０００９】
本発明のリアクトルの一形態として、内側コア部の上記対向側の面の位置と、外側コア部の上記対向側の面の位置との差が、内側コア部の高さの１５％以下とすることが挙げられる。
【００１０】
上記の構成によれば、上記差を内側コア部の高さの１５％以下とすることで、外側コア部と内側コア部との接合箇所における磁路面積を確保できる。
【００１１】
本発明のリアクトルの一形態として、内側コア部の上記対向側の面の位置と、外側コア部の上記対向側の面の位置との差が、０．５ｍｍ以上とすることが挙げられる。
【００１２】
上記の構成によれば、上記差を０．５ｍｍ以上とすることで、コイルの巻線端部や配線部材の配置スペースを確保し易くできる。
【００１３】
本発明のリアクトルの一形態として、コイル素子はそれぞれ、巻線が巻回されてなるターン形成部と、ターン形成部の一端側から、外側コア部の上記対向側の面とターン形成部の上記対向側の面との間に巻線の端部を引き出して端子金具の接続箇所とする接続端部とを備えることが挙げられる。
【００１４】
上記の構成によれば、少なくとも端子金具側の高さを低くできる。外側コア部の上記対向側の面が内側コア部の上記対向側の面よりも設置側に位置することで、外側コア部の上記対向側の面と、ターン形成部の上記対向側の面との間に接続端部を引き出すスペースを確保でき、従来のように、ターン形成部よりも対向側にコイルの接続端部を突出させる必要がなくなるからである。
【００１５】
本発明のリアクトルの一形態として、コイル素子がターン形成部と接続端部とを備える場合、更に、接続端部に接続される端子金具を備えることが挙げられる。その場合、端子金具、接続端部、及び端子金具と接続端部とが接続されてなる端子接続部が、ターン形成部の上記対向側の面よりも上記設置側に位置することが好ましい。
【００１６】
上記の構成によれば、端子金具、接続端部、及び端子接続部のいずれもがターン形成部の上記対向側の面よりも設置側に位置することで、リアクトルの高さをターン形成部の上記対向側の面よりも低くできる。
【００１７】
本発明のリアクトルの一形態として、コイル素子がターン形成部と接続端部とを備える場合、コイル素子のターン形成部は、平角線からなる巻線をエッジワイズ巻きして構成されることが挙げられる。一方、コイル素子の接続端部は、コイルの軸方向に沿うと共に、平角線の幅方向がコイル素子の横並び方向と平行となるように平角線をフラットワイズ曲げして引き出されることが挙げられる。
【００１８】
上記の構成によれば、ターン形成部をエッジワイズ巻きし、接続端部を上記のようにフラットワイズ曲げすることで、接続端部を外側コア部の上記対向側の面とターン形成部の上記対向側の面との間に配置し易い。加えて、これらの面同士の間に、接続端部に接続する端子金具の配置スペースをも確保し易い。そのため、接続端部に端子金具を接続しても、端子金具、及び接続端部と端子金具とが接続されてなる端子接続部も外側コア部の上記対向側の面とターン形成部の上記対向側の面との間に配置でき、リアクトルの高さを低くできる。
【００１９】
本発明のリアクトルの一形態として、コイル素子がターン形成部と接続端部とを備える場合、コイル素子は独立した２つの巻線をそれぞれ巻回してなることが挙げられる。この場合、コイル素子は、ターン形成部の他端側から外側コア部の上記対向側の面とターン形成部の上記対向側の面との間に巻線の端部を引き出してコイル素子同士の連結箇所とする連結端部と、連結端部同士を連結するコイル連結部材とを備える。そして、コイル連結部材及び連結端部は、ターン形成部の上記対向側の面よりも上記設置側に位置する。
【００２０】
上記の構成によれば、コイル連結部材及び連結端部をターン形成部の前記対向側面よりも前記設置側に位置させるため、リアクトルの端子金具側だけでなくその反対側もリアクトルの高さを低くできる。
【００２１】
本発明のリアクトルの一形態として、コイル素子がターン形成部と接続端部とを備える場合、更に、外側コア部を上記設置側に押さえることで組合体を設置対象に固定する固定部材を備えることが挙げられる。その場合、固定部材のうち、外側コア部の上記対向側の面を押さえる押付部が、ターン形成部の上記対向側の面よりも上記設置側に位置することが好ましい。
【００２２】
上記の構成によれば、固定部材を備えることで、リアクトルを設置対象に固定できる。そして、上記押付部がターン形成部の上記対向側の面よりも上記設置側に位置することで、ターン形成部の上記対向側の面よりも突出しないため、リアクトルの高さを低くできる。
【００２３】
本発明のリアクトルの一形態として、更に、組合体の外周の少なくとも一部を覆う外側樹脂部を備えることが挙げられる。
【００２４】
上記の構成によれば、機械的な保護や外部環境からの保護(耐食性の向上)に加えて、放熱性の向上、騒音の更なる低減、振動の更なる低減などを図ることができる。
【００２５】
本発明のリアクトルの一形態として、更に、組合体を収納するコンバータケースを備えることが挙げられる。
【００２６】
上記の構成によれば、コンバータケースに組合体を収納することで、その組合体を組合体以外の部材、例えば、半導体素子を備える回路基板などと一纏めにすることができ、扱い易く組み立て作業性に優れる。
【００２７】
本発明のリアクトルは、コンバータの構成部品に好適に利用することができる。本発明のコンバータは、上記本発明のリアクトルを備える。
【００２８】
本発明のコンバータは、本発明のリアクトルを備えることで、小型化を図ることができる。
【００２９】
本発明のコンバータは、電力変換装置の構成部品に好適に利用することができる。本発明の電力変換装置は、上記本発明のコンバータを備える。
【００３０】
本発明のコンバータを備える本発明の電力変換装置も小型化を図ることができる。
【発明の効果】
【００３１】
本発明のリアクトルは、従来のリアクトルに比べて小型化を図ることができる。
【００３２】
本発明のコンバータ、及び本発明の電力変換装置は、従来のそれらに比べて小型化を図ることができる。
【図面の簡単な説明】
【００３３】
【図１】実施形態１のリアクトルを示す概略斜視図である。
【図２】図１に示すリアクトルの（ＩＩ）−（ＩＩ）断面図である。
【図３】実施形態１のリアクトルの概略を示す分解斜視図である。
【図４】ハイブリッド自動車の電源系統を模式的に示す概略構成図である。
【図５】本発明のコンバータを備える本発明の電力変換装置の一例を示す概略回路図である。
【発明を実施するための形態】
【００３４】
以下、図面を参照して、本発明の実施形態を説明する。図中の同一符号は同一名称物を示す。
【００３５】
《実施形態１》
〔リアクトル〕
図１〜３を参照して、実施形態１のリアクトル１を説明する。ここでは、リアクトル１の設置対象側を設置側（下側）、その反対側を対向側（上側）とする。リアクトル１は、一対のコイル素子２ａ、２ｂを有するコイル２と磁性コア３との組合体１０を備える。コイル素子２ａ、２ｂは、ターン形成部２ｔと接続端部２ｃと連結端部２ｊとで構成する（図３）。磁性コア３は、各コイル素子２ａ、２ｂ内に配置される一対の内側コア部３１、及びこれら内側コア部３１を連結して閉磁路を形成する一対の外側コア部３２を有する（図３）。このリアクトル１の主たる特徴とするところは、組合体１０を設置対象に設置した際、外側コア部３２の上面３２ｕが内側コア部３１の上面３１ｕよりも下側に位置する点にある。以下、リアクトル１の特徴部分及び関連する部分の構成、並びに主要な効果を順に説明し、その後、各構成を詳細に説明する。その説明にあたり、リアクトル１の上下方向を高さ、コイル素子２ａ、２ｂの横並び方向を幅として説明する。
【００３６】
［特徴部分及び関連する部分の構成］
（磁性コア）
磁性コア３は、離間して配置される一対の内側コア部３１を挟むように両外側コア部３２が配置され、各内側コア部３１の端面３１ｅと外側コア部３２の内端面３２ｅとを接触させて環状に形成される。これら内側コア部３１及び外側コア部３２により、コイル２を励磁したとき、閉磁路を形成する。ここでは、各内側コア部３１はそれぞれ、各コイル素子２ａ，２ｂの内周形状に沿った外形を有する柱状体（ここでは、直方体の角部を丸めた形状）であり、各外側コア部３２はそれぞれ、角柱状体である。例えば、自動車に搭載されるリアクトルにおいて、内側コア部３１の高さは、２０ｍｍ〜４０ｍｍである。しかし、リアクトルの用途や必要とされる性能に応じて、２０ｍｍよりも小さくする場合や４０ｍｍよりも大きくする場合もある。
【００３７】
磁性コア３において、図２に示すように、外側コア部３２の上面３２ｕは、内側コア部３１の上面３１ｕよりも設置対象側に位置する。即ち、外側コア部３２の上面３２ｕの高さ位置を、内側コア部３１の上面３１ｕよりも低くする。そうすれば、外側コア部３２の上面３２ｕとターン形成部２ｔの上面２ｕとの間で、コイル２の接続端部２ｃ及び連結端部２ｊ、接続端部２ｃに接続される端子金具４並びに連結端部２ｊに接続されるコイル連結部材２ｒ（いずれも後述）を設置するスペースを確保し易い。
【００３８】
外側コア部３２の上面３２ｕの位置と内側コア部３１の上面３１ｕの位置との差ｔは、大きいほど上記配置スペースを確保し易く、小さいほど外側コア部３２と内側コア部３１との接合箇所における磁路面積を確保し易い。上記差ｔを内側コア部３１の高さの１５％以下とすることが好ましい。そうすれば、磁路面積を確保し、漏れ磁束を少なくできる。上記差ｔは、内側コア部３１の高さの１０％以下とすることが好ましく、５％以下とすることが特に好ましい。そうすれば、より漏れ磁束を少なくできる。上記差ｔは、内側コア部３１の高さの２．５％以上とすることが好ましい。そうすれば、上記配置スペースを確保し易い。
【００３９】
また、上記差ｔは、０．５ｍｍ以上とすることが好ましい。そうすれば、コイル２の巻線２ｗのサイズ（例えば、丸線の場合は直径、平角線の場合は幅と厚さ）や、端子金具４（後述）のサイズなどにもよるが、上記配置スペースを確保し易い。上記差ｔは、１ｍｍ以上、更には２ｍｍ以上、特に３ｍｍ以上とすることが好ましい。そうすれば、より多くの上記配置スペースを確保できる。上記差ｔは、６ｍｍ以下とすることが好ましい。そうすれば、磁路面積を確保できる。
【００４０】
外側コア部３２の幅、つまり、外側コア部３２におけるコイル素子２ａ、２ｂが並列する方向の距離は、コイル２の幅と同等とすることができる。本発明では上述のように外側コア部３２の上面３２ｕの高さを内側コア部３１の上面３１ｕの位置よりも低くしている。それにより、外側コア部３２の幅とコイル２の幅とが同等であっても、外側コア部３２の上面３２ｕとターン形成部２ｔの上面２ｕとの間でコイル２の接続端部２ｃ及び連結端部２ｊを配置する（引き出す）スペースを確保できる。そのため、リアクトル１の幅が大きくなることなくリアクトル１の高さを低くできるからである。上述したように従来のリアクトルであれば、外側コア部の幅をコイルの幅と同等とする場合にコイルの接続端部を引き出そうとすれば、ターン形成部の上方から引き出すか、組合体を平面視した際の組合体の輪郭の外側（組合体の幅方向外側）に引き出す必要がある。しかし、前者の場合、外側コア部の上面の位置が内側コア部の上面の位置よりも低くないため、外側コア部の上面とターン形成部の上面との間に接続端部の配置スペースがない。そのため、接続端部をターン形成部の上面よりも上方に引き出す必要があり、リアクトルの高さが高くなる。一方、後者の場合、リアクトルの幅が大きくなる。
【００４１】
（コイル）
コイル２は、独立した２つの巻線２ｗをそれぞれ螺旋状に巻回してなる一対のコイル素子２ａ、２ｂと、両コイル素子２ａ、２ｂとは独立した部材で、両コイル２ａ、２ｂ同士を連結するコイル連結部材２ｒとを備える。ここでは、各コイル素子２ａ、２ｂは、互いに同一の巻数の中空の筒状体であり、各軸方向が平行するように並列（横並び）されている。各コイル素子２ａ、２ｂの端面形状（図３）は、長方形の角部を丸めた形状であるが、円形状など適宜変更できる。なお、接合部の無い１本の連続する巻線を螺旋状に巻回してなる一対のコイル素子と、両コイル素子を連結するコイル連結部とを備え、コイル連結部がコイルの一端側において巻線の一部がＵ字状に屈曲されて構成されるコイルとすることもできる。この場合もＵ字状の屈曲箇所はターン形成部の上面から上方に突出しないようにすることが好ましい。
【００４２】
各コイル素子２ａ、２ｂはそれぞれ、ターン形成部２ｔと、端子金具４が接続される接続端部２ｃと、コイル連結部材２ｒが連結される連結端部２ｊとで構成される（図３）。ターン形成部２ｔは、被覆平角線からなる巻線２ｗをエッジワイズ巻回して構成される。接続端部２ｃは、ターン形成部２ｔの一端側から引き出され、連結端部２ｊは、ターン形成部２ｔの他端側から引き出される。
【００４３】
接続端部２ｃの引き出す位置は、外側コア部３２の上面３２ｕとターン形成部２ｔの上面２ｕとの間とすることが好ましい。この間において、接続端部２ｃの最上面をターン形成部２ｔの上面２ｕと面一としてもよいし、接続端部２ｃの最上面をターン形成部２ｔの上面２ｕよりも低くしてもよい。前者の場合、従来のようにターン形成部の上方に接続端部を引き出す場合に比べて、リアクトル１の高さを低くできる。特に、後者の場合は、端子金具４をもターン形成部２ｔの上面２ｕよりも低くし易いため、接続端部２ｃ側のリアクトル１の高さをより一層低くできる。
【００４４】
一方、連結端部２ｊの引き出す位置は、接続端部２ｃと同様、外側コア部３２の上面３２ｕとターン形成部２ｔの上面２ｕとの間とすることが好ましい。この間において、接続端部２ｃと同様に連結端部２ｊの最上面をターン形成部２ｔの上面２ｕと面一としてもよいし、連結端部２ｊの最上面をターン形成部２ｔの上面２ｕよりも低くしてもよい。特に、後者の場合、コイル連結部材２ｒをターン形成部２ｔの上面２ｕよりも低くし易いため、接続端部２ｃ側だけでなく、連結端部２ｊ側の高さも低くできて好ましい。
【００４５】
接続端部２ｃ及び連結端部２ｊの引き出し方はそれぞれ、組合体１０の上面側でコイル２の軸方向に沿うと共に、被覆平角線の幅方向がリアクトル１の高さ方向に沿うように被覆平角線をフラットワイズ曲げする仕方でもよいし、被覆平角線の幅方向がコイル素子２ａ，２ｂの横並び方向に平行となるように被覆平角線をフラットワイズ曲げする仕方でもよい。特に、後者の場合、上述のように外側コア部３２の上面３２ｕの高さが内側コア部３１の上面３１ｕよりも低いため、接続端部２ｃ及び連結端部２ｊを外側コア部３２の上面３２ｕとターン形成部２ｔの上面２ｕとの間に配置し易い。その上、これら面同士の間に、端子金具４やコイル連結部材２ｒの配置スペースをも確保し易いため、端子金具４やコイル連結部材２ｒの位置をもターン形成部２ｔの上面２ｕよりも低くし易い。ここでは、接続端部２ｃ及び連結端部２ｊの引き出し方を後者として、接続端部２ｃ及び連結端部２ｊの上面の位置は、ターン形成部２ｔの上面２ｕよりも低くしている。
【００４６】
被覆平角線は、銅やアルミニウム、その合金といった導電性材料からなる平角導体の外周に、絶縁性材料からなる絶縁被覆を備える。平角線は、占積率が高い、端子金具４との接触面積を広く確保し易い、といった利点がある。ここでは、被覆平角線を、銅導体にエナメル（代表的にはポリアミドイミド）被覆して構成している。なお、導体の形状は、平角の他、横断面が円形状、楕円形状、多角形状などの種々の形状とすることができる。
【００４７】
平角線のサイズは、適宜選択できる。例えば、平角線の厚さに対する幅の比（幅／厚さ）は小さくてもよい。上述のように外側コア部３２の上面３２ｕの高さを内側コア部３１の上面３１ｕよりも低くしているため、接続端部２ｃ及び連結端部２ｊの位置をターン形成部２ｔの上面２ｕよりも低くし易いからである。特に、上述のようにターン形成部２ｔをエッジワイズ巻きにより構成し、接続端部２ｃ及び連結端部２ｊを上述のようにフラットワイズ曲げして引き出すと、上記比（幅／厚さ）が小さくても接続端部２ｃ及び連結端部２ｊの位置をターン形成部２ｔの上面２ｕよりも低くし易い。そのため、上記比（幅／厚さ）が小さくても、端子金具４やコイル連結部材２ｒをターン形成部２ｔの上面２ｕよりも低い位置でそれぞれ接続端部２ｃ及び連結端部２ｊに接続できる。具体的には、上記比（幅／厚さ）は、６以下とすることができる。そして、平角線の幅は、８ｍｍ以下とすることができる。勿論、上記比（幅／厚さ）は大きいほど、接続端部２ｃ及び連結端部２ｊの位置をターン形成部２ｔの上面２ｕよりも低くし易い上に、外側コア部３２の上面３２ｕとターン形成部２ｔの上面２ｕとの間に端子金具４やコイル連結部材２ｒの配置スペースを確保し易くなる。
【００４８】
コイル連結部材２ｒは、ここでは平角棒材で構成している。コイル連結部材２ｒの厚さは、巻線２ｗの厚さと同等以下とすることが好ましい。そうすれば、コイル連結部材２ｒを外側コア部３２の上面３２ｕとターン形成部２ｔの上面２ｕとの間に配置し易く、コイル連結部材２ｒの上面をターン形成部２ｔの上面２ｕの位置よりも低くできる。ここでは、この平角棒材の厚さ及び幅を巻線２ｗと略同様の厚さ及び幅としている。平角棒材の両端部は、両コイル素子２ａ、２ｂの連結端部２ｊ同士と接続される接続箇所であり、連結端部２ｊの外周の略全周を覆うようにＵ字状に屈曲して形成されている（図３）。
【００４９】
このコイル連結部材２ｒの最上面の位置は、ターン形成部２ｔの上面２ｕと面一とすることが好ましく、ターン形成部２ｔの上面２ｕよりも低くすることが特に好ましい。そうすれば、コイル連結部材２ｒの最上面がターン形成部２ｔの上面２ｕよりも突出しないので、コイル連結部２ｒ側のリアクトル１の高さを低くできる。ここでは、コイル連結部材２ｒの最上面の位置（連結端部２ｊとの接続箇所）は、上面２ｕよりも低くしている（図２）。外側コア部３２の上面３２ｕの高さを内側コア部３１の上面３１ｕよりも低くし、連結端部２ｊを上述のようにフラットワイズ曲げにより引き出すことで、外側コア部３２の上面３２ｕとターン形成部２ｔの上面２ｕとの間にコイル連結部材２ｒの配置スペースを確保できるからである。
【００５０】
コイル連結部材２ｒの材質は、銅やアルミニウム、その合金といった導電性材料からなる導体や、これら導体にメッキ処理（例えば、Ｓｎメッキ）したメッキ導体などを利用できる。
【００５１】
各コイル素子２ａ，２ｂの連結端部２ｊとコイル連結部材２ｒとの接続には、ヒュージング（熱カシメ）、ＴＩＧ溶接などの溶接、はんだ付け、ろう付け、カシメなど種々の手段が利用できる。特に、ヒュージングは、溶接やはんだ付けに比べて巻線２ｗに対する熱影響を少なくできる。
【００５２】
（端子金具）
リアクトル１は、コイル２の各接続端部２ｃに接続され、電源などの外部装置からコイル２への電力供給を行う端子金具４を備える。
【００５３】
ここでは、端子金具４は、平板状の金属片を屈曲して構成した金具で、その一端側にコイル側接続片４１、他端側にリード側接続片を備える。コイル側接続片４１は、コイル素子２ａ、２ｂの接続端部２ｃと接続される。リード側接続片には、貫通孔４２ｈが設けられている。貫通孔４２ｈは、電源などの外部装置につながるリード線を端子金具４に接続するためのボルトといった連結部材が嵌め込まれる。端子金具４の形状は、具体的には、図２に示すように、縦断面形状が階段状であり、接続片４１からリード側接続片に向かって、平板を途中からリアクトル１の下面側に向かうように屈曲させ、更にリード側接続片側でリアクトル１の下面と平行となるように屈曲してなる。
【００５４】
端子金具４の厚さは、巻線２ｗの厚さと同等以下とすることが好ましい。そうすれば、端子金具４を外側コア部３２の上面３２ｕとターン形成部２ｔの上面２ｕとの間に配置し易く、端子金具４の上面をターン形成部２ｔの上面２ｕの位置よりも低くし易い。ここでは、端子金具４の厚さは、巻線２ｗと略同様の厚さとしている。
【００５５】
端子金具４の最上面の位置は、ターン形成部２ｔの上面２ｕと面一とすることが好ましく、ターン形成部２ｔの上面２ｕよりも低くすることが特に好ましい。そうすれば、リアクトル１の高さを低くできる。勿論、ここでは、ターン形成部２ｔの上面２ｕの位置よりも低くしている（図２）。外側コア部３２の上面３２ｕの高さを内側コア部３１の上面３１ｕよりも低くしたことに加えて、接続端部２ｃを上述のようにフラットワイズ曲げにより引き出したことで、外側コア部３２の上面３２ｕとターン形成部２ｔの上面２ｕとの間に端子金具４の配置スペースを確保でき、端子金具４と接続端部２ｃとの接続箇所である端子接続部もこれら両面３２ｕ，２ｕの間に配置できるからである。
【００５６】
接続片４１の形状は、上述した接続端部２ｃとの接続方法により接続できる形状であれば適宜選択できる。ここでは、接続片４１の形状は、Ｕ字状である。このＵ字状の空間に接続端部２ｃを介在させた状態で、例えば、上述した各コイル素子２ａ、２ｂとコイル連結部材２ｒとの接続と同様の手段を利用して接続片４１と接続端部２ｃとを接続できる。
【００５７】
端子金具４の構成材料は、外部装置からコイル２に電力を供給できるように導電性材料が挙げられる。例えば、銅、銅合金、アルミニウム、アルミニウム合金などが挙げられる。
【００５８】
なお、端子金具４の形状は、例示であり、端子金具４の全体がターン形成部２ｔの上面２ｕの位置よりも低くなる形状であれば適宜変更することができる。
【００５９】
〔リアクトルの特徴部分における作用効果〕
上記の構成を備えるリアクトル１によれば、外側コア部３２の上面３２ｕの高さが内側コア部３１の上面３１ｕよりも低いため、外側コア部３２の上面３２ｕとターン形成部２ｔの上面２ｕとの間に、コイル２の接続端部２ｃや連結端部２ｊ、及びこれらに接続される端子金具４やコイル連結部材２ｒの配置スペースを確保できる。そのため、接続端部２ｃ、連結端部２ｊ、端子金具４、及びコイル連結部材２ｒのいずれをも外側コア部３２の上面３２ｕとターン形成部２ｔの上面２ｕとの間に配置できる。従って、従来のように、ターン形成部２ｔの上面２ｕよりも上方にコイル２の接続端部２ｃや連結端部２ｊを突出させる必要がなくなるため、リアクトル１の高さを低くできる。
【００６０】
［各構成の説明］
（磁性コア）
磁性コア３のうち内側コア部３１は、軟磁性材料からなる複数のコア片３１ｍと、コア片３１ｍよりも比透磁率が小さい材料からなるギャップ材３１ｇとが交互に積層配置された積層体であり、外側コア部３２は、磁性材料からなるコア片である。コア片３１ｍとギャップ材３１ｇとの一体化には、特に接着剤を利用すると扱い易い上に、コア片３１ｍが磁歪によって振動する材質で構成され、ギャップ材３１ｇがアルミナのような剛性の高い材質で構成された場合でも、コア片３１ｍとギャップ材３１ｇとの接触・非接触に伴う騒音を低減できると期待される。その他、コア片３１ｍとギャップ材３１ｇとの一体化に接着テープなどを利用することもできる。ここでは、コア片３１ｍとギャップ材３１ｇとを接着剤によって一体化している。
【００６１】
内側コア部３１や外側コア部３２を構成するコア片は、鉄などの鉄族金属やその合金、鉄を含む酸化物などに代表される軟磁性粉末を用いた成形体や、絶縁被膜を有する磁性薄板（例えば、ケイ素鋼板に代表される電磁鋼板）を複数積層した積層体が挙げられる。上記成形体は、圧粉成形体、焼結体、軟磁性粉末と樹脂とを含む混合体を射出成形や注型成形などした複合材料などが挙げられる。ここでは、各コア片はいずれも同一の複合材料としている。複合材料は、磁性粉末の含有量：４０体積％以上７５体積％以下、飽和磁束密度：０．６Ｔ以上、比透磁率：５以上５０以下、好ましくは１０以上３０以下、更に好ましくは２０以上３０以下、とすることが挙げられる。この場合、比透磁率が比較的低いため、ギャップ材３１ｇを省略することもできる。磁性コア全体の比透磁率（ギャップ材を含む場合はギャップ材も含めた全体の比透磁率）は５以上５０以下とすることが好ましい。このように、磁性コア３を構成する全てのコア片が同一の複合材料で構成されているが、各コア片はいずれも、鉄や鋼などの鉄を含有する軟磁性金属粉末の圧粉成形体とすることもできる。
【００６２】
ギャップ材３１ｇの具体的な材料は、アルミナや不飽和ポリエステルなどの非磁性材料、ポリフェニレンスルフィド（ＰＰＳ）樹脂などの非磁性材料と磁性材料（磁性材料の例は、鉄粉などの軟磁性粉末）とを含む混合物などが挙げられる。ギャップ材３１ｇを上記混合物で構成する場合は、ギャップ材３１ｇの比透磁率を１．０５以上２以下とすることが好ましい。ここでは、ギャップ材３１ｇは、ＰＰＳ樹脂と鉄粉とを含む混合物（比透磁率：１．１５程度）から構成されるものとしている。
【００６３】
また、内側コア部３１と外側コア部３２とで磁気特性を異ならせることができる。例えば、（１）全てのコア片が複合材料から構成され、内側コア部３１のコア片３１ｍと外側コア部３２とで磁性粉末の材質や割合が異なる形態、（２）全てのコア片が圧粉成形体であり、内側コア部３１のコア片３１ｍと外側コア部３２とで材質が異なる形態、（３）内側コア部３１のコア片３１ｍを複合材料、外側コア部３２を圧粉成形体や積層板体とする形態、などの形態とすることにより内側コア部３１と外側コア部３２とで磁気特性を異ならせることができる。内側コア部３１のコア片３１ｍの飽和磁束密度＞外側コア部の飽和磁束密度とすると、内側コア部３１における磁束を通過させる箇所の面積を小さくし易く、リアクトルの小型化を図ることができる。内側コア部３１のコア片３１ｍの比透磁率＜外側コア部３２の比透磁率とすると、外側コア部３２の比透磁率が相対的に高いことで、外側コア部３２での漏れ磁束を低減し易い。
【００６４】
上記（１）の形態では、内側コア部３１のコア片３１ｍ及び外側コア部３２を構成する複合材料はいずれも、磁性体粉末の含有量：４０体積％以上７５体積％以下、飽和磁束密度：０．６Ｔ以上、比透磁率：５以上５０以下、好ましくは１０以上３０以下、更に好ましくは２０以上３０以下、磁性コア全体の比透磁率（ギャップ材を含む場合はギャップ材も含めた全体の比透磁率）：５以上５０以下を満たすものが挙げられる。磁性体粉末の材質や含有量を調整することで、例えば、（ａ）内側コア部の飽和磁束密度が高く、外側コア部の比透磁率が低い形態、（ｂ）内側コア部の比透磁率が低く、外側コア部の比透磁率が高い形態、（ｃ）内側コア部と外側コア部との双方の飽和磁束密度や比透磁率が同じ形態などとすることができる。上記（ａ）の形態は、上述のようにリアクトルの小型化を図れ、上記（ｂ）の形態は、外側コア部３２での漏れ磁束を低減し易い。上記（ｃ）の形態は、原料を準備し易く、コア片の製造性に優れる。
【００６５】
内側コア部３１の形状を直方体状、外側コア部３２の形状を角柱状体としているが、内側コア部３１（コア片３１ｍ・ギャップ材３１ｇ）の形状、外側コア部３２の形状は適宜選択することができる。外側コア部３２の形状として、例えば、上面３２ｕ・下面３２ｄがドーム状（内端面３２ｅから外方に向かって断面積が小さくなる変形台形状）の柱状体とすることもできる。
【００６６】
内側コア部３１の軸方向の長さは、コイル素子２ａ、２ｂの軸方向の長さよりも長くてもよい。即ち、内側コア部３１の端面及びその近傍がコイル素子２ａ、２ｂの端面から突出して露出されていてもよい。
【００６７】
外側コア部３２の下面３２ｄは、コイル２の下面２ｄと面一になるように、外側コア部３２の大きさを調整している（図２）。そのため、磁性コア３を環状に形成した場合、外側コア部３２の下面３２ｄは内側コア部３１の下面３１ｄよりも突出している。そうすれば、本発明のリアクトル１における内側コア部３１のサイズが従来のリアクトルにおける内側コア部と同じ場合、本発明のリアクトル１は、従来のリアクトルに比べて磁性コア３（外側コア部３２）の構成材料の量を少なくでき、コスト低減及び軽量化に寄与する。また、組合体１０の下面は、主として、二つの外側コア部３２の下面３２ｄと、コイル２の下面２ｄとで構成される。
【００６８】
（インシュレータ）
リアクトル１は、更に、コイル２と磁性コア３との間に、両者の絶縁性と位置決めの確実性を高めるためのインシュレータ５を備えることが好ましい。
【００６９】
ここでは、インシュレータ５は、各コイル素子２ａ、２ｂのそれぞれに、各コイル素子２ａ、２ｂの軸方向に分割可能な一対の分割片５０ａ、５０ｂを組み合わせてなる（図３）。各分割片５０ａ、５０ｂは、内側コア部３１を収納する周壁部５１と、コイル素子２ａ（２ｂ）の端面と外側コア部３２の内端面３２ｅとの間に介在される枠板部５２とを備える。そして、ここでは、枠板部５２と周壁部５１とが一体に連結されて構成されている。
【００７０】
周壁部５１は、コイル素子２ａ（２ｂ）の内周面と内側コア部３１の外周面との間に介在され、コイル素子２ａ（２ｂ）と内側コア部３１との間を絶縁する。周壁部５１は、内側コア部３１の角部及びその周辺が露出するように、内側コア部３１の各面に沿って配置される複数（ここでは４つ）の板状体で構成している。そうすれば、例えば、後述する外側樹脂部７を備える形態では、内側コア部３１と外側樹脂部７との接触面積を増大できる上に、外側樹脂部７の充填時に脱気し易く、製造性に優れる。この板状体の外周面はコイル２の内周面に沿って形成されている。
【００７１】
この板状体のコイル２の軸方向に沿った長さは、分割片５０ａ、５０ｂをコイル２に組み合わせた際、コイル２と内側コア部３１との間の絶縁が確保できればよく、適宜選択できる。ここでは、分割片５０ａ、５０ｂをコイル素子２ａ（２ｂ）に組み合わせた際に、内側コア部３１の軸方向の略全長に亘る長さであることが挙げられ、各分割片５０ａ、５０ｂの各板状体の長さは、内側コア部３１の軸方向の略半分の長さである。
【００７２】
なお、周壁部５１は、内側コア部３１の各角部に配置される複数の板状体で構成してもよいし、内側コア部３１の外周面の周方向全周を覆う筒状体で構成してもよい。後者の場合、この筒状体の外周面はコイル２の内周面に沿って形成し、筒状体の内周面は内側コア部３１の外周面に凡そ沿って形成する。
【００７３】
各枠板部５２は、コイル素子２ａ（２ｂ）の端面、及び内側コア部３１の端面３１ｅと外側コア部３２の内端面３２ｅとの間に介在され、コイル素子２ａ（２ｂ）と外側コア部３２との間を絶縁すると共に、内側コア部３１と外側コア部３２との間でギャップとして機能する。枠板部５２はそれぞれ、矩形状の平板で構成される。
【００７４】
インシュレータ５の構成樹脂は、ＰＰＳ樹脂、ポリテトラフルオロエチレン（ＰＴＦＥ）樹脂、液晶ポリマー（ＬＣＰ）、ナイロン６、ナイロン６６、ポリブチレンテレフタレート（ＰＢＴ）樹脂などの熱可塑性樹脂が挙げられる。ここでは、ＰＰＳ樹脂を用いている。
【００７５】
（固定部材）
リアクトル１は、更に、外側コア部３２を設置側に押さえることで組合体１０を設置対象に固定する固定部材６を備えることが好ましい。
【００７６】
ここでは、固定部材６は、細板を適宜屈曲して形成される部材である。この固定部材６は、設置対象に固定される固定部６ｆを有する一対の脚部６ｌと、両脚部６ｌの間を連結し、外側コア部３２の上面３２ｕに載置されて、外側コア部３２を設置対象側に押さえ付ける押付部６ｖとを備える。
【００７７】
固定部６ｆは、各脚部６ｌを外側に折り曲げた先端に構成され、固定部材６を設置対象に固定するためのボルト６ｂが挿通される挿通孔６ｈを備える。この挿通孔６ｈにボルト６ｂを挿通して設置対象にねじ止めして組合体１０を設置対象に固定する。
【００７８】
押付部６ｖの配置箇所は、外側コア部３２の上面３２ｕにおいて、接続端部２ｃ（連結端部２ｊ）の真下の位置としてもよいし、接続端部２ｃ（連結端部２ｊ）の真下からコイル２の軸方向にずれた位置としてもよい。特に、後者の場合、接続端部２ｃ（連結端部２ｊ）と外側コア部３２との間に押付部６ｖを配置するスペースを確保しなくてもよいため、接続端部２ｃ（連結端部２ｊ）を外側コア部３２の上面３２ｕ側に近接させ易く、端子金具４やコイル連結部材２ｒの配置スペースを確保し易い。
【００７９】
更に、固定部材６は、組合体１０を設置対象に押し付けるだけでなく、コイル２の軸方向の動き（振動）を制限するための突起６ｐを備えることが好ましい。ここでは、突起６ｐは、押付部６ｖと脚部６ｌに、外側コア部３２の外端面３２ｏに沿うように複数設けられている。
【００８０】
固定部材６の材質は、例えば、ＳＵＳ３０４が挙げられる。
【００８１】
（外側樹脂部）
リアクトル１は、更に、組合体１０の外周の少なくとも一部を覆う外側樹脂部７を備えることが好ましい。外側樹脂部７は、振動の緩和、組合体１０の機械的な保護や外部環境からの保護（耐食性の向上）に加えて、放熱性の向上、騒音の更なる低減、振動の更なる低減などを図ることができる。その上、固定部材６を組合体１０と一体に固定できる。
【００８２】
外側樹脂部７の被覆領域は、適宜選択できるが、例えば、組合体１０の下面（コイル２の下面２ｄと外側コア部３２の下面３２ｄ）が露出するように、この下面を除いた領域としてもよいし、組合体１０の全周としてもよい。前者の場合、外側樹脂部７から露出した組合体１０の下面を、例えば熱伝導性に優れるシートなどに接触させたりすることで放熱性を高められる。後者の場合、磁性コア３の磁歪に伴う振動を緩和し易く、騒音を低減し易い。ここでは、端子金具４の貫通孔４２ｈ及び固定部材６の固定部６ｆを除いて組合体１０の全周を外側樹脂部７で覆う。
【００８３】
外側樹脂部７の構成樹脂は、例えば、エポキシ樹脂、ウレタン樹脂、シリコーン樹脂などの絶縁性樹脂が挙げられる。更に、絶縁性や放熱性に優れるフィラーを含有すると、放熱性（熱伝導性）や絶縁性を高められる。外側樹脂部７を備える場合、材質や厚さを調整することでも（例えば、磁歪による振動などを吸収可能な弾性を有するものを利用したり、磁歪による振動などを吸収可能な厚さにしたり）、騒音を効果的に低減できると期待される。
【００８４】
（ケース）
リアクトル１は、更に、組合体１０と固定部材６と外側樹脂部７との組物１００を収納するコンバータケース８を備えることが好ましい。この場合、コンバータケース８が組合体１０の設置対象である。コンバータケース８は、組合体１０の他、半導体素子を備える回路基板（図示せず）などが収納される。
【００８５】
コンバータケース８の形状は、有底の箱形状である。このコンバータケース８の底面に、雌ねじ加工が施された４つの突起８１を備える。この突起８１は、固定部材６のボルト６ｂをねじ止めして組物１００をコンバータケース８に固定するためのものである。
【００８６】
コンバータケース８の材質には、放熱性に優れる材料や磁気シールド特性に優れる材料が好適に利用できる。代表的な材質としては、アルミニウムやその合金、マグネシウムやその合金、銅やその合金、銀やその合金、鉄やオーステナイト系ステンレス鋼などの金属が挙げられる。特に、アルミニウムやマグネシウム、これらの合金は、軽量である上に、シールド機能を期待できる。また、アルミニウムやその合金は放熱性にも優れる。
【００８７】
（防振部材）
リアクトル１は、更に、組物１００とコンバータケース８との間にリアクトル１の振動を緩和・吸収するための防振部材９を備えることが好ましい（図１、２）。
【００８８】
防振部材９の形状（面積）は、少なくとも組合体１０の下面、即ち、一対の外側コア部３２の下面３２ｄとコイル２の下面２ｄとがつくる輪郭形状に沿った形状（大きさ）であることが好ましい。そうすれば、リアクトル１の振動を効果的に緩和・吸収できる。ここでは、防振部材９の形状は、外側樹脂部７の下面の輪郭形状に沿った形状としている（図１）。
【００８９】
防振部材９の厚さは、厚いほど振動吸収性に優れ、薄いほどコンバータケース８を介した放熱性を高められる傾向にある。具体的な厚さは、構成材料にもよるが、例えば、０．５ｍｍ以上２．０ｍｍ以下とすることが好ましい。
【００９０】
防振部材９の構成材料は、振動吸収性に優れる材料、例えば、ゴムなどが挙げられる。防振部材９の構成材料は、振動吸収性に加えて放熱性に優れる材料であればより好ましい。その構成材料としては、例えば、シリコーンゴムが挙げられる。
【００９１】
（用途）
リアクトル１は、通電条件が、例えば、最大電流（直流）：１００Ａ〜１０００Ａ程度、平均電圧：１００Ｖ〜１０００Ｖ程度、使用周波数：５ｋＨｚ〜１００ｋＨｚ程度である用途、代表的には電気自動車やハイブリッド自動車などの車載用電力変換装置の構成部品に好適に利用することができる。
【００９２】
上述のリアクトル１によれば、更に、以下の効果を奏する。
【００９３】
（１）インシュレータ５の周壁部５１を内側コア部３１の各面に沿って配置するように構成して内側コア部３１の角部及びその周辺を露出させているため、内側コア部３１と外側樹脂部７との接触面積を大きくでき、磁性コア３の磁歪に伴う振動や騒音を低減できる。
【００９４】
（２）外側コア部３２を押さえる固定部材６は、外側樹脂部７により組合体１０と一体化されると共に、ボルト締めによりコンバータケース８に強固に固定されているため、外部からの衝撃や振動により組物１００がコンバータケース８から外れ難くできる。
【００９５】
（３）組物１００とコンバータケース８との固定にボルト６ｂを利用しているため、組物１００のコンバータケース８への固定が容易である。従って、組み立て作業性に優れる。
【００９６】
（４）組物１００とコンバータケース８との間に防振部材９を介在させることで、リアクトル１の振動を緩和・吸収できることに加えて、外部からの振動をリアクトル１に伝達し難くできる。
【００９７】
〔リアクトルの製造方法〕
リアクトル１は、コイル２と端子金具４の一体化→組合体１０の組み立て→外側樹脂部７（組物１００）の作製→コンバータケース８への収納、という工程を経て製造できる。
【００９８】
まず、コイル素子２ａ，２ｂ、コイル連結部材２ｒ及び端子金具４を用意し、コイル素子２ａ，２ｂとコイル連結部材２ｒ及び端子金具４とを一体に接続する。コイル素子２ａ、２ｂの連結端部２ｊにコイル連結部材２ｒを嵌め合わせて、上述の接続手段、例えば、ヒュージングによりコイル連結部材２ｒとコイル素子２ａ、２ｂとを一体に連結し、コイル２を作製する。続いて、Ｕ字状に屈曲された接続片４１を有する端子金具４を用意し、その接続片４１と接続端部２ｃとを嵌め合わせ、上述の接続と同様にヒュージングにより接続片４１と接続端部２ｃとを一体に接続する。なお、連結端部２ｊとコイル連結部材２ｒとの接続と、接続端部２ｃと端子金具４との接続のどちらを先に行ってもよいし、同時に行ってもよい。
【００９９】
次に、コイル２と磁性コア３とを組み合わせて組合体１０を作製する。内側コア部３１の一端側にインシュレータ５を嵌め合わせてコイル２内に挿通する。その際、内側コア部３１は各コイル素子２ａ，２ｂの連結端部２ｊ側から各コイル素子２ａ，２ｂ内に挿入する。そして、内側コア部３１の他端側にもう一方のインシュレータ５を嵌め合わせ、内側コア部３１を一対の外側コア部３２で挟む。
【０１００】
次に、組合体１０の外周に外側樹脂部７を形成する。外側コア部３２の上面３２ｕに固定部材６を載置して成形用金型に配置し、外側樹脂部７の構成樹脂を金型内に充填・硬化して組物１００を作製する。その際、固定部材６の固定部６ｆを外側樹脂部７から露出するように外側樹脂部７を形成する。ここでは、真空射出成形により樹脂を充填することが好ましい。そうすれば、ボイドの少ない外側樹脂部７を形成できる。
【０１０１】
次に、組物１００をコンバータケース８に収納する。コンバータケース８に防振部材９を配置し、その防振部材９上に組物１００を載置する。そして、外側樹脂部７から露出する固定部材６の固定部６ｆをコンバータケース８に設けられた突起８１にボルト６ｂで固定する。
【０１０２】
上述のリアクトルの製造方法によれば、以下の効果を奏する。
【０１０３】
（１）組合体１０を覆う外側樹脂部７の形成をコンバータケース８内ではなく成形用金型内で行うため、コンバータケース８に外側樹脂部７の構成樹脂を注型しないので、樹脂を注型するための堰が不要となり、コンバータケース８を小型化できる。加えて、外側樹脂部７の形成時の熱がコンバータケース８に加わらないため、コンバータケース８の熱による変形などを防止できる。
【０１０４】
（２）外側樹脂部７を真空射出成形により形成することで、ボイドの少ない外側樹脂部７を形成できる。そのため、磁性コア３に錆が発生し難いことに加えて、磁性コア３の磁歪など伴う振動や騒音の少ないリアクトル１を製造できる。
【０１０５】
《実施形態２》
実施形態１のリアクトル１は、例えば、車両などに載置されるコンバータの構成部品や、このコンバータを備える電力変換装置の構成部品に利用できる。
【０１０６】
例えば、ハイブリッド自動車や電気自動車といった車両１２００は、図４に示すようにメインバッテリ１２１０と、メインバッテリ１２１０に接続される電力変換装置１１００と、メインバッテリ１２１０からの供給電力により駆動して走行に利用されるモータ（負荷）１２２０とを備える。モータ１２２０は、代表的には、３相交流モータであり、走行時、車輪１２５０を駆動し、回生時、発電機として機能する。ハイブリッド自動車の場合、車両１２００は、モータ１２２０に加えてエンジンを備える。なお、図４では、車両１２００の充電箇所としてインレットを示すが、プラグを備える形態としても良い。
【０１０７】
電力変換装置１１００は、メインバッテリ１２１０に接続されるコンバータ１１１０と、コンバータ１１１０に接続されて、直流と交流との相互変換を行うインバータ１１２０とを有する。この例に示すコンバータ１１１０は、車両１２００の走行時、２００Ｖ〜３００Ｖ程度のメインバッテリ１２１０の直流電圧（入力電圧）を４００Ｖ〜７００Ｖ程度にまで昇圧して、インバータ１１２０に給電する。また、コンバータ１１１０は、回生時、モータ１２２０からインバータ１１２０を介して出力される直流電圧（入力電圧）をメインバッテリ１２１０に適合した直流電圧に降圧して、メインバッテリ１２１０に充電させている。インバータ１１２０は、車両１２００の走行時、コンバータ１１１０で昇圧された直流を所定の交流に変換してモータ１２２０に給電し、回生時、モータ１２２０からの交流出力を直流に変換してコンバータ１１１０に出力している。
【０１０８】
コンバータ１１１０は、図５に示すように複数のスイッチング素子１１１１と、スイッチング素子１１１１の動作を制御する駆動回路１１１２と、リアクトルＬとを備え、ＯＮ／ＯＦＦの繰り返し（スイッチング動作）により入力電圧の変換（ここでは昇降圧）を行う。スイッチング素子１１１１には、ＦＥＴ，ＩＧＢＴなどのパワーデバイスが利用される。リアクトルＬは、回路に流れようとする電流の変化を妨げようとするコイルの性質を利用し、スイッチング動作によって電流が増減しようとしたとき、その変化を滑らかにする機能を有する。このリアクトルＬとして、実施形態１に記載のリアクトルを用いる。高さの低いリアクトルを用いることで、電力変換装置１１００（コンバータ１１１０を含む）の小型化を図ることができる。
【０１０９】
なお、車両１２００は、コンバータ１１１０の他、メインバッテリ１２１０に接続された給電装置用コンバータ１１５０や、補機類１２４０の電力源となるサブバッテリ１２３０とメインバッテリ１２１０とに接続され、メインバッテリ１２１０の高圧を低圧に変換する補機電源用コンバータ１１６０を備える。コンバータ１１１０は、代表的には、ＤＣ−ＤＣ変換を行うが、給電装置用コンバータ１１５０や補機電源用コンバータ１１６０は、ＡＣ−ＤＣ変換を行う。給電装置用コンバータ１１５０のなかには、ＤＣ−ＤＣ変換を行うものもある。給電装置用コンバータ１１５０や補機電源用コンバータ１１６０のリアクトルに、上記実施形態のリアクトルと同様の構成を備え、適宜、大きさや形状などを変更したリアクトルを利用できる。また、入力電力の変換を行うコンバータであって、昇圧のみを行うコンバータや降圧のみを行うコンバータに、実施形態１のリアクトルを利用することもできる。
【０１１０】
なお、本発明は、上述した実施の形態に限定されるものではなく、本発明の要旨を逸脱することなく、適宜変更することが可能である。
【産業上の利用可能性】
【０１１１】
本発明のリアクトルは、ハイブリッド自動車、プラグインハイブリッド自動車、電気自動車、燃料電池自動車といった車両に搭載される車載用コンバータ（代表的にはＤＣ−ＤＣコンバータ）や空調機のコンバータといった電力変換装置の構成部品に利用できる。
【符号の説明】
【０１１２】
１  リアクトル  １０  組合体  １００  組物
２  コイル
２ｔ  ターン形成部  ２ｕ  上面  ２ｄ  下面
２ｃ  接続端部    ２ｊ  連結端部
２ａ、２ｂ  コイル素子  ２ｒ  コイル連結部材  ２ｗ  巻線
３  磁性コア
３１  内側コア部  ３１ｍ  コア片  ３１ｇ  ギャップ材
３１ｅ  端面  ３１ｕ  上面  ３１ｄ  下面
３２  外側コア部  ３２ｅ  内端面  ３２ｏ  外端面
３２ｕ  上面  ３２ｄ  下面
４  端子金具
４１  接続片  ４２ｈ  貫通孔
５  インシュレータ
５０ａ、５０ｂ  分割片  ５１  周壁部  ５２  枠板部
６  固定部材
６ｌ  脚部  ６ｆ  固定部  ６ｈ  挿通孔
６ｖ  押付部  ６ｐ  突起  ６ｂ  ボルト
７  外側樹脂部
８  コンバータケース  ８１  突起
９  防振部材
１１００  電力変換装置  １１１０  コンバータ
１１１１  スイッチング素子  １１１２  駆動回路
Ｌ  リアクトル  １１２０  インバータ
１１５０  給電装置用コンバータ  １１６０  補機電源用コンバータ
１２００  車両  １２１０  メインバッテリ  １２２０  モータ
１２３０  サブバッテリ  １２４０  補機類  １２５０  車輪
【図１】
2014067758.tif 000003
【図２】
2014067758.tif 000004
【図３】
2014067758.tif 000005
【図４】
2014067758.tif 000006
【図５】
2014067758.tif 000007